(57)【要約】【課題】同じ番組を複数のチューナを用いて録画する場合の録画予約の操作を簡易化することができる録画機器を提供する。【解決手段】放送信号を受信する複数のチューナを有する録画機器において、録画する番組が操作部により選択された後、前記複数のチューナを用いて録画をするか否かを選択する第一の画面を表示するよう表示部に画像信号を出力する画像信号出力部と、前記第一の画面において前記複数のチューナを用いての録画が前記操作部により選択されると、前記選択された番組を前記複数のチューナを用いて録画するための録画予約情報を設定する録画予約設定部と、を備えた録画機器とした。【選択図】図１
2010251963.tif 000002
【特許請求の範囲】
【請求項１】
放送信号を受信する複数のチューナを有する録画機器において、
録画する番組が操作部により選択された後、前記複数のチューナを用いて録画をするか否かを選択する第一の画面を表示するよう表示部に画像信号を出力する画像信号出力部と、
前記第一の画面において前記複数のチューナを用いての録画が前記操作部により選択されると、前記選択された番組を前記複数のチューナを用いて録画するための録画予約情報を設定する録画予約設定部と、を備えたことを特徴とする録画機器。
【請求項２】
録画された番組に関する情報のリスト表示において、前記録画予約情報に基づき録画された番組についてのダビング可能回数は、前記選択された番組のダビング制限回数に前記複数のチューナの個数を乗じた値を表示するよう前記画像信号出力部は前記表示部に画像信号を出力することを特徴とする請求項１に記載の録画機器。
【請求項３】
前記第一の画面において前記複数のチューナを用いての録画が前記操作部により選択されると、前記複数のチューナのうち少なくとも一つのチューナを用いた録画の録画モードを標準画質のモードに選択可能な第二の画面を表示するよう前記画像信号出力部は前記表示部に画像信号を出力し、
前記第二の画面において録画モードが前記操作部により選択されると、前記録画予約設定部は、前記選択された録画モードを含めた前記録画予約情報を設定することを特徴とする請求項１または請求項２に記載の録画機器。
【請求項４】
前記操作部により選択される前記録画する番組がコピーワンス対応であって、前記録画する番組の選択後、前記操作部によりコピーワンス対応番組複数チューナ録画モードが有効であれば、前記第一の画面を前記表示部に表示させずに前記録画予約設定部は、前記選択された番組を前記複数のチューナを用いて録画するための録画予約情報を設定し、
前記コピーワンス対応番組複数チューナ録画モードが無効であれば、前記第一の画面を表示するよう前記画像信号出力部は前記表示部に画像信号を出力することを特徴とする請求項１〜請求項３のいずれかに記載の録画機器。
【発明の詳細な説明】
【技術分野】
【０００１】
本発明は、録画機器に関する。
【背景技術】
【０００２】
従来より、放送を受信して録画を行う録画機器は様々存在するが、そのうち、複数のチューナを有するような録画機器が存在する。例えば、地上デジタル放送、ＢＳ／ＣＳデジタル放送に対応するチューナを複数有するようなＨＤＤ内蔵のＢｌｕ−ｒａｙ  Ｄｉｓｃレコーダである。このような録画機器によれば、同じ時間帯に放送される複数の番組を同時に録画することが可能となる。
【先行技術文献】
【特許文献】
【０００３】
【特許文献１】特開２００６−５０１６８号公報（図５等）
【発明の概要】
【発明が解決しようとする課題】
【０００４】
ここで上記のような録画機器として、例えば、特許文献１に開示された録画機器があるが、この録画機器では、同じ番組を複数のチューナを用いて録画する場合の録画予約の際、日時、開始時刻、終了時刻、チャンネル、録画モード、使用するチューナを複数回設定する必要があり、ユーザにとって操作が煩わしいといった問題点がある（特許文献１の図５等参照）。
【０００５】
上記問題点を鑑み、本発明は、同じ番組を複数のチューナを用いて録画する場合の録画予約の操作を簡易化することができる録画機器を提供することを目的とする。
【課題を解決するための手段】
【０００６】
上記目的を達成するために本発明の録画機器は、放送信号を受信する複数のチューナを有する録画機器において、
録画する番組が操作部により選択された後、前記複数のチューナを用いて録画をするか否かを選択する第一の画面を表示するよう表示部に画像信号を出力する画像信号出力部と、
前記第一の画面において前記複数のチューナを用いての録画が前記操作部により選択されると、前記選択された番組を前記複数のチューナを用いて録画するための録画予約情報を設定する録画予約設定部と、を備えた構成とした。
【０００７】
このような構成によれば、録画する番組を選択後、表示部に表示される複数のチューナを用いて録画をするか否かを選択する第一の画面において複数のチューナを用いての録画を選択すれば、選択された番組を複数のチューナを用いて録画するための録画予約が設定されるので、同じ番組を複数のチューナを用いて録画する場合の録画予約の操作を簡易化することができる。
【０００８】
また、上記構成の録画機器において、録画された番組に関する情報のリスト表示において、前記録画予約情報に基づき録画された番組についてのダビング可能回数は、前記選択された番組のダビング制限回数に前記複数のチューナの個数を乗じた値を表示するよう前記画像信号出力部は前記表示部に画像信号を出力する構成としてもよい。
【０００９】
このような構成によれば、ダビング回数制限のある番組を複数のチューナを用いて録画し、複数の映像音声信号が記録されている場合でも、リスト表示において表示されるダビング可能回数は一つにまとめた回数で表示されるので、リスト表示を簡素化できる。
【００１０】
また、上記いずれかの構成の録画機器において、前記第一の画面において前記複数のチューナを用いての録画が前記操作部により選択されると、前記複数のチューナのうち少なくとも一つのチューナを用いた録画の録画モードを標準画質のモードに選択可能な第二の画面を表示するよう前記画像信号出力部は前記表示部に画像信号を出力し、
前記第二の画面において録画モードが前記操作部により選択されると、前記録画予約設定部は、前記選択された録画モードを含めた前記録画予約情報を設定する構成としてもよい。
【００１１】
このような構成によれば、複数のチューナのうち少なくとも一つのチューナを用いた録画を標準画質で行えるので、録画容量を抑えることができる。
【００１２】
また、上記いずれかの構成の録画機器において、前記操作部により選択される前記録画する番組がコピーワンス対応であって、前記録画する番組の選択後、前記操作部によりコピーワンス対応番組複数チューナ録画モードが有効であれば、前記第一の画面を前記表示部に表示させずに前記録画予約設定部は、前記選択された番組を前記複数のチューナを用いて録画するための録画予約情報を設定し、
前記コピーワンス対応番組複数チューナ録画モードが無効であれば、前記第一の画面を表示するよう前記画像信号出力部は前記表示部に画像信号を出力する構成としてもよい。
【００１３】
このような構成によれば、予め操作部によりコピーワンス対応番組複数チューナ録画モードを有効としておけば、コピーワンス対応の番組を選択すると、第一の画面が表示されることなく録画予約が設定されるので、録画予約の操作性がより向上する。また、コピーワンス対応の番組は１回しかダビングできないが、複数のチューナを用いて録画されるので、ダビング回数を増やすことができる。
【発明の効果】
【００１４】
本発明の録画機器によれば、同じ番組を複数のチューナを用いて録画する場合の録画予約の操作を簡易化することができる。
【図面の簡単な説明】
【００１５】
【図１】本発明に係る録画機器の一概略構成例を示す図である。
【図２】本発明に係る録画機器の録画予約動作に関するフローチャートである。
【図３】２チューナで録画するか否かを選択する画面の一例を示す図である。
【図４】一方のチューナでの録画の録画モードを選択する画面の一例を示す図である。
【図５】録画番組リスト表示の一例を示す図である。
【図６】本発明に係る録画機器の録画予約動作の別実施形態に関してモード設定を行う画面の一例を示す図である。
【図７】本発明に係る録画機器の録画予約動作の別実施形態に関するフローチャートである。
【発明を実施するための形態】
【００１６】
以下に本発明の実施形態を図面を参照して説明する。本発明に係る録画機器の一概略構成例を図１に示す。
【００１７】
図１に示す本発明に係る録画機器は、２番組同時録画可能なハイビジョン録画対応ＢＤ（Blu-ray Disc）レコーダ１００であって、アンテナ１０１および表示装置１０２が接続されている。また、ＢＤレコーダ１００はリコモン送信機１０３によって遠隔操作される。
【００１８】
ＢＤレコーダー１００は、デジタル放送の受信が可能な第１のチューナ１および第２のチューナ２と、信号処理部３と、ＯＳＤ（On Screen Display）部４と、映像合成部５と、ＨＤＤ記録再生部６と、ＢＤおよびＤＶＤに対応する光ディスク記録再生部７と、制御部８と、不揮発性メモリ９と、受光部１０と、を備えている。
【００１９】
第１のチューナ１および第２のチューナ２はそれぞれ、アンテナ１からデジタル放送信号を受け取り、デジタル放送信号の選局および復調を行う。
【００２０】
信号処理部３は、制御部８からの指示に基づいて、第１のチューナ１または第２のチューナ２から受け取った映像音声信号を、ハイビジョン画質（ＨＤ画質）のまま、または標準画質（ＳＤ画質）に変換してからＨＤＤ記録再生部６または光ディスク記録再生部７に送ったり、第１のチューナ１若しくは第２のチューナ２から受け取った映像信号、またはＨＤＤ記録再生部６若しくは光ディスク記録再生部７で再生された映像信号を映像合成部５に送ったり、第１のチューナ１または第２のチューナ２の出力信号からＥＰＧ（電子番組表）情報を抽出して制御部８に送ったりする。
【００２１】
また、ＨＤＤ記録再生部６が再生した映像音声信号を光ディスク記録再生部７がＢＤまたはＤＶＤに記録させることにより、ダビングが行われる。
【００２２】
ＯＳＤ部４は、制御部８からの指示に基づいて生成したＯＳＤ画像信号を映像合成部５に送る。映像合成部５は、信号処理部３からの映像信号とＯＳＤ部４からのＯＳＤ画像信号とを合成して、合成した映像信号を表示装置１０２に送る。
【００２３】
ＨＤＤ記録再生部６は、制御部８からの指示に基づいて、信号処理部３から受け取った映像音声信号をハードディスクに記録したり、ハードディスクに記録されている映像音声信号を再生したりする。
【００２４】
また、光ディスク記録再生部７は、制御部８からの指示に基づいて、信号処理部３から受け取った映像音声信号若しくはＨＤＤ記録再生部６が再生した映像音声信号をＢＤまたはＤＶＤに記録したり、ＢＤまたはＤＶＤに記録されている映像音声信号を再生したりする。
【００２５】
受光部１０は、リモコン送信機１０３から送信されたリモコン赤外線信号を受光して電気信号に変換し、さらにその電気信号を操作コードに変換して制御部８に出力する。不揮発性メモリ９は、制御部８によりＥＰＧ情報や、録画予約情報等の各種設定情報が格納される。制御部８は、ＲＯＭ（不図示）に格納されている制御プログラムを実行してＢＤレコーダ１００の各部を制御する。
【００２６】
次に、このような構成であるＢＤレコーダ１００の録画予約動作に関して図２のフローチャートを用いて説明する。ここでは、ハードディスクへの録画の予約について説明する。
【００２７】
リモコン送信機１０３においてＥＰＧ表示操作がされると、不揮発性メモリ９に記憶されたＥＰＧ情報に基づき制御部８はＯＳＤ部４に指示を行い、ＯＳＤ部４はＯＳＤ画像信号を生成して映像合成部５を介して表示装置１０２に送る。すると、表示装置１０２にＥＰＧが表示される。ここで、リモコン送信機１０３の操作によりＥＰＧにおいて番組が選択されると、図２のフローチャートが開始される。
【００２８】
ステップＳ２０で、ＯＳＤ部４は、制御部８の指示によりＯＳＤ画像信号を生成し映像合成部５を介して表示装置１０２に送り、表示装置１０２に、図３で示すような２チューナで録画するか否かを選択する画面が表示される。
【００２９】
ここで、リモコン送信機１０３の操作により２チューナで録画することが選択されると（図３の「はい」を選択）（ステップＳ２１のＹ）、ステップＳ２２に進む。ステップＳ２２で、ＯＳＤ部４は、制御部８の指示によりＯＳＤ画像信号を生成し映像合成部５を介して表示装置１０２に送り、表示装置１０２に、図４で示すような２チューナのうち一方のチューナによる録画の録画モードを選択する画面が表示される。図４において、「ＸＰ」、「ＳＰ」、「ＬＰ」、「ＥＰ」とは標準画質での録画モードであり、この順に高画質となる。なお、もう一方のチューナによる録画はハイビジョン画質での録画に固定されている。
【００３０】
図４の画面において録画モードがリモコン送信機１０３の操作により選択されると、ステップＳ２３に進む。ステップＳ２３で、制御部８は、２チューナ録画の旨、選択された番組の放送開始時刻、放送終了時刻、放送チャンネル、番組名、並びに選択された録画モードを録画予約情報として不揮発性メモリ９に格納する。なお、選択された番組がもし、１回だけダビング可能という制限付きの、いわゆるコピーワンス対応の番組である場合は、コピーワンス対応である旨の情報も録画予約情報に含ませる。また、選択された番組がもし、１０回だけダビング可能という制限付きの、いわゆるダビング１０対応の番組である場合は、ダビング１０対応である旨の情報も録画予約情報に含ませる。コピーワンス、ダビング１０に対応していることはＥＰＧ情報より判断できる。
【００３１】
ステップＳ２３の後、図２のフローチャートは終了する（エンド）。
【００３２】
また、上述した２チューナで録画するか否かを選択する画面（図３）において２チューナで録画しないことが選択されると（図３の「いいえ」を選択）（ステップＳ２１のＮ）、ステップＳ２４に進む。ステップＳ２４で、ＯＳＤ部４は、制御部８の指示によりＯＳＤ画像信号を生成し映像合成部５を介して表示装置１０２に送り、表示装置１０２に、１チューナで録画する際の録画モードを選択する画面が表示される。
【００３３】
この画面において録画モードがリモコン送信機１０３の操作により選択されると、ステップＳ２３に進む。ステップＳ２３で、制御部８は、１チューナ録画の旨、選択された番組の放送開始時刻、放送終了時刻、放送チャンネル、番組名、並びに選択された録画モードを録画予約情報として不揮発性メモリ９に格納する。なお、選択された番組がコピーワンス、ダビング１０に対応する場合は前述と同様である。
【００３４】
このように、録画する番組を選択後、２チューナで録画するか否かを選択する画面が表示され、２チューナでの録画を選択すると、一方のチューナでの録画の録画モードを選択すれば、録画予約情報が設定されるので、同じ番組を２チューナで録画する場合の録画予約の操作を簡易化することができる。
【００３５】
また、ハードディスクへ録画後、ＢＤより容量の小さいＤＶＤへダビングするという場合には、２チューナでの録画を選択後に、一方のチューナの録画モードとして標準画質のモードを選択できるので、ハードディスクへの録画の容量を抑えることができる。
【００３６】
このような録画予約動作後、録画予約情報の放送開始時刻に現在時刻が到達すると、録画が開始される。もし、２チューナでの録画が予約されている場合は、制御部８の選局制御により第１のチューナ１および第２のチューナ２は、録画予約情報の放送チャンネルを選局する。信号処理部３は、第１のチューナ１からの映像音声信号はハイビジョン画質のままＨＤＤ記録再生部６に送る。また、信号処理部３は、第２のチューナ２からの映像音声信号は、予約された録画モードがハイビジョンであればハイビジョン画質のまま、録画モードが標準画質のモードであれば対応する標準画質に変換してＨＤＤ記録再生部６に送る。そして、ＨＤＤ記録再生部６は映像音声信号をハードディスクに記録させ、録画が行われる。録画予約情報の放送終了時刻に現在時刻が到達すると録画は終了される。この場合、ハードディスクには２つの映像音声信号が記録されることとなる。
【００３７】
またもし、１チューナでの録画が予約されている場合は、制御部８の選局制御により第１のチューナ１は、録画予約情報の放送チャンネルを選局する。信号処理部３は、第１のチューナ１からの映像音声信号を、予約された録画モードがハイビジョンであればハイビジョン画質のまま、録画モードが標準画質のモードであれば対応する標準画質に変換してＨＤＤ記録再生部６に送る。そして、ＨＤＤ記録再生部６は映像音声信号をハードディスクに記録させ、録画が行われる。録画予約情報の放送終了時刻に現在時刻が到達すると録画は終了される。この場合、ハードディスクには１つの映像音声信号が記録されることとなる。
【００３８】
録画終了後、制御部８の指示によりＨＤＤ記録再生部６は、記録した映像音声信号に対応させて付加情報をハードディスクに記録させる。付加情報とは、番組名、録画開始時刻、録画終了時刻、放送チャンネル、録画モード、ダビング可能回数からなる。ダビング可能回数は、録画した番組がコピーワンス、ダビング１０に対応している場合に記録される。特に、２チューナでの録画でいずれのチューナもハイビジョン画質での録画の場合、コピーワンスの場合は１回＋１回＝２回を、ダビング１０の場合は１０回＋１０回＝２０回をダビング可能回数として記録する。
【００３９】
ハードディスクに付加情報が記録された状態で、リモコン送信機１０３において録画番組リスト表示の操作がされると、ハードディスクに記録された付加情報に基づき制御部８はＯＳＤ部４に指示を行い、ＯＳＤ部４はＯＳＤ画像信号を生成して映像合成部５を介して表示装置１０２に送る。すると、表示装置１０２には、番組名および録画日が一覧表示された録画番組リストが表示される。この画面において、リモコン送信機１０３により番組名を選択可能であり、選択された番組名に対応する放送チャンネル、録画期間、録画モード、ダビング可能回数が表示される。
【００４０】
図５は、録画番組リスト表示の一例であり、ここでは、番組名として「プロジェクトＢ」が選択され、対応する放送チャンネル等が画面上部に表示されている。「プロジェクトＢ」は、いずれのチューナもハイビジョン画質での２チューナ録画により録画されたものであり、ダビング１０に対応しているので、ダビング可能回数として２０回が表示されている（コピーワンスに対応する場合は、２回という表示になる）。ハードディスクには映像音声信号が２つ記録されているが、このように１つにまとめてリスト表示することで、リスト表示を簡素化できる。なお、ハードディスクからＢＤまたはＤＶＤに映像音声信号がダビングされるごとに、表示されるダビング可能回数は減少する。
【００４１】
次に、ＢＤレコーダ１００の録画予約動作の別実施形態に関して説明する。
【００４２】
ここで、リモコン送信機１０３の操作により、表示装置１０２に図６に示すようなモード設定の画面を表示でき、リモコン送信機１０３の操作により、モード設定を有効とするか否かを予め選択できるものとする。モード設定が有効か否かの情報は制御部８により不揮発性メモリ９に格納される。
【００４３】
そして、リモコン送信機１０３の操作によりＥＰＧが表示装置１０２に表示された状態でコピーワンスに対応した番組がリモコン送信機１０３の操作により選択されると、図７のフローチャートが開始される。
【００４４】
まず、ステップＳ７０で、制御部８は、不揮発性メモリ９を参照して上述のモード設定が有効か否かを判定し、もし有効であれば（ステップＳ７０のＹ）、ステップＳ７１に進む。ステップＳ７１で、制御部８は、２チューナ録画の旨、選択された番組の放送開始時刻、放送終了時刻、放送チャンネル、番組名、並びにハイビジョン画質の録画モード、コピーワンス対応の旨、を録画予約情報として不揮発性メモリ９に格納する。このような録画予約後、録画予約情報の放送開始時刻に現在時刻が到達すると、第１のチューナ１および第２のチューナ２を用いてハイビジョン画質で２つの映像信号がハードディスクに録画されることとなる。
【００４５】
ステップＳ７１の後、図７のフローチャートは終了する（エンド）。
【００４６】
また、ステップＳ７０で、もしモード設定が無効であれば（ステップＳ７０のＮ）、ステップＳ７２に進み、２チューナで録画するか否かを選択する画面（図３）が表示装置１０２に表示される。ここで、２チューナでの録画を選択すると（ステップＳ７３のＹ）、ステップＳ７４に進み、２つのチューナのうち一方のチューナによる録画の録画モードを選択する画面（図４）が表示装置１０２に表示される。
【００４７】
ここで録画モードが選択されれば、ステップＳ７５に進み、制御部８は、２チューナ録画の旨、選択された番組の放送開始時刻、放送終了時刻、放送チャンネル、番組名、並びに選択された録画モード、コピーワンス対応の旨、を録画予約情報として不揮発性メモリ９に格納する。このような録画予約後、録画予約情報の放送開始時刻に現在時刻が到達すると、第１のチューナ１および第２のチューナ２を用いてハイビジョン画質および選択された録画モードの画質で２つの映像信号がハードディスクに録画されることとなる。
【００４８】
また、上記２チューナで録画するか否かを選択する画面において１チューナでの録画が選択された場合は（ステップＳ７３のＮ）、ステップＳ７６に進み、１つのチューナによる録画の録画モードを選択する画面が表示装置１０２に表示される。
【００４９】
ここで録画モードが選択されれば、ステップＳ７５に進み、制御部８は、１チューナ録画の旨、選択された番組の放送開始時刻、放送終了時刻、放送チャンネル、番組名、並びに選択された録画モード、コピーワンス対応の旨、を録画予約情報として不揮発性メモリ９に格納する。このような録画予約後、録画予約情報の放送開始時刻に現在時刻が到達すると、第１のチューナ１を用いて選択された録画モードの画質で１つの映像信号がハードディスクに録画されることとなる。
【００５０】
ステップＳ７５の後、図７のフローチャートは終了する（エンド）。
【００５１】
このような実施形態によれば、モード設定を予め有効にしておけば、コピーワンス対応の番組を選択すれば、自動的に２チューナでの録画の録画予約設定が完了するので、コピーワンス対応の番組を２チューナで録画する場合の録画予約の操作を簡易化できる。また、コピーワンス対応の番組は１回しかダビングできないが、２チューナで録画されるので、ダビング回数を増やすことができる。
【００５２】
なお、以上で説明した実施形態はあくまで一例であり、本発明の趣旨を逸脱しない範囲でのあらゆる変更が可能である。例えば、３つ以上のチューナを有する録画機器に本発明を適用することも可能である。
【符号の説明】
【００５３】
１００  ＢＤレコーダ
１０１  アンテナ
１０２  表示装置
１０３  リモコン送信機
１  第１のチューナ
２  第２のチューナ
３  信号処理部
４  ＯＳＤ部
５  映像合成部
６  ＨＤＤ記録再生部
７  光ディスク記録再生部
８  制御部
９  不揮発性メモリ
１０  受光部
【図１】
2010251963.tif 000003
【図２】
2010251963.tif 000004
【図３】
2010251963.tif 000005
【図４】
2010251963.tif 000006
【図５】
2010251963.tif 000007
【図６】
2010251963.tif 000008
【図７】
2010251963.tif 000009